(57)【要約】【目的】  携帯電話機を始めとして所有する物品に滑り止めが必要となった際、その物品に貼り付けるだけで容易に滑り止めの効果を発揮することができる滑止シールを提供することを目的とする。【解決手段】  本体１を、軟質樹脂素材を用いて厚みを持ち且つ硬貨ほどの大きさに形成し、その本体１の底部に他の物品に貼り付けるための保護シートで被覆された粘着材２を設けて滑止シール構成する。そして、所有する物品に滑り止めが必要となった場合、本体１底部の保護シート３を剥がして粘着材２を露出させ、滑り止めを必要とする物品の任意の部位に所望の数を貼り付ける。【選択図】  図１
0003104812.tif 000002
【実用新案登録請求の範囲】
【請求項１】
本体を軟質樹脂素材から形成し、該本体底部に他の物品に貼り付けるための接着手段を設けてなり、前記本体は厚みを持って且つ硬貨ほどの大きさに形成されていることを特徴とする滑止シール
【請求項２】
前記軟質樹脂素材がポリプロピレンまたは塩化ビニールであることを特徴とする請求項１の滑止シール
【請求項３】
前記本体が断面略台形または断面略半円形であることを特徴とする請求項１の滑止シール
【請求項４】
前記本体の厚みが１ｍｍから３ｍｍの間に形成されていることを特徴とする請求項１の滑止シール
【請求項５】
前記本体が縦横範囲で３ｃｍ以下の大きさに形成されていることを特徴とする請求項１の滑止シール
【請求項６】
前記本体の他の物品との接触面に突起または突条が設けられていることを特徴とする請求項１の滑止シール
【請求項７】
前記本体の他の物品との接触面に溝または窪みが設けられていることを特徴とする請求項１の滑止シール
【請求項８】
使用対象物が携帯電話機または携帯計測器であることを特徴とする請求項１の滑止シール
【請求項９】
使用対象物が携帯可能な工具または測定具であることを特徴とする請求項１の滑止シール
【考案の詳細な説明】
【技術分野】
【０００１】
本考案は、滑止シールに関し、特に携帯可能な物品に貼り付けて使用する滑止シールに関するものである。
【背景技術】
【０００２】
従来、滑り止めの部材としては種々のものが提案されており、ゴム等の部材を任意の形状に形成し、それを目的の物品に貼り付けて用いている。
そして、それらの部材は滑りを止めたい物品の形状に合わせた形状に形成されているのが普通であって、その滑り止め部材を適宜に貼り付けて使用している。    
【考案の開示】
【考案が解決しようとする課題】
【０００３】
しかしながら、提供されている滑り止め部材はメーカー側が独自に選定した部品に合うように形成されているため、滑り止め部材を必要とするユーザーはその滑り止め部材に適合した物品を所有する者に限られていた。
特に、携帯電話機においては種類も多く、市販されている全ての携帯電話機に適合させるには経済的に無理があり、到底できるものではなかった。
【０００４】
従って、本考案は上述した問題点に鑑みてなされたもので、携帯電話機を始めとして所有する物品に滑り止めが必要となった際、その物品に貼り付けるだけで容易に滑り止めの効果を発揮することができる滑止シールを提供することを目的とするものである。
【課題を解決するための手段】
【０００５】
本考案の要旨とするところは、本体を軟質樹脂素材から形成し、該本体底部に他の物品に貼り付けるための接着手段を設けてなり、前記本体は厚みを持って且つ硬貨ほどの大きさに形成されていることを特徴とする滑止シールである。
【０００６】
本考案の滑止シールを詳しく説明すると、本体を任意の物品に貼り付けて使用するものであり、特に、携帯電話機または携帯計測器の任意の部位、例えば、ケース面に貼り付けての使用が適する。また、携帯可能な工具、例えば、ドライバー／レンチ／ハンマー等の柄を手で握って使用する工具の柄の所望の部位に貼り付けての使用に適する。
本体は、摺動摩擦抵抗が大きい軟質樹脂素材から形成すればよい。その軟質樹脂素材の具体的なものとしては、ポリプロピレンや塩化ビニールが上げられる。
【０００７】
本体の形状は特に限定するものではないが、本体の大きさは硬貨ほどの大きさに形成するのがよい。その大きさは、貼り付ける物品によって１円硬貨や５００円硬貨に近い大きさとすればよい。すなわち、小さ目にするのがよい。
形状としては、平面視において円形や角形を始めとして所望の形状にすればよい。また、断面の形状においても、略台形や略半円形などの成形に適した形状にすればよい。
【０００８】
そして、本体の他の物品との接触面は目視状態において円滑面としてもよい。この目視状態とは、人が普通に目で見た状態であって、拡大鏡や顕微鏡等を使用しないで見た状態である。そして、円滑面とは、この目視状態の時に接触面に凸凹や突起また窪みがない状態である。
また、他の物品との接触面に、任意の形状の突起または突条や溝または窪みを設けてもよく、例えば、半球や円錐状の突起、平板状の突条、ジグザグ状の溝、円形の窪み（ディンプル）が上げられる。
【０００９】
そして、本体は厚みを持って形成するのがよく、その厚さは１ｍｍから３ｍｍ程度の厚みとするのがよい。勿論、３ｍｍ以上にしてもよい。
また、１ｍｍ以下でも厚みを持って形成されていることに変わりがないことは言うまでもない。
【００１０】
接着手段とは、本体を任意の物品に貼り付け固定するための手段であり、例えば、任意の粘着材を本体底部に設けることである。
また、テープの表裏（両面）に粘着材が設けられている所謂両面テープの一面を本体底部に貼り付けることによって本体に接着手段を設けてもよい。
【００１１】
従って、本考案の滑止シールは以上のように構成されているので、所有する物品に滑り止めが必要となった場合、本体底部の保護シートを剥がして粘着材を露出させる。また、台紙に多数貼り付けられている本体を台紙から剥がして本体底部の粘着材を露出させる。
そして、物品の任意の部位、例えば、物品が携帯電話機であれば、携帯電話機のケースの一面に所望の数の滑止シールを貼り付ける。あるいは、携帯電話機のケースの表裏両面に所望の数の滑止シールを貼り付ける。
【００１２】
これにより、例えば、衣服の胸ポケットに携帯電話機を入れている時、上半身を前屈みした際、重力によって携帯電話機がポケットの開口に向かって滑り出そうとすると、滑止シールの樹脂表面と衣服の繊維とが摺動する。その際の摺動抵抗（摩擦抵抗）が大きいために携帯電話機の滑り出しを阻止しようとする。
また、滑止シールは小型に形成されているので、貼り付ける物品の段差や出っ張り等を避けることができ、さらには、滑止シールが小型であると共に樹脂素材から形成されているので、曲線的な形状の貼り付け面にも馴染む。
【考案の効果】
【００１３】
本考案の滑止シールは以上のように、本体は軟質樹脂素材を用いて、厚みを持ち且つ小型に成形され、そして、本体底部に他の物品に貼り付けるための接着手段を設けているので、滑止シールを貼り付けようとする物品が小型であっても、その物品に有する段差や出っ張り等の形状、また、スイッチや表示部等の機能部位を避けて貼り付けることができる。さらには、貼り付ける面が曲線的に形成されていても、滑止シールが小型であると共に軟質樹脂素材から形成されているので、曲線的な形状の貼り付け面にも容易に馴染むことができる。
そして、本体に厚みがあることから、滑り止めの効果を得ようとする相手の部材に容易に接触することができる。また、滑止シールの貼り付ける数によって滑り止めの度合いを調節できる。
特に、携帯電話機に用いることにより、上半身を屈めるだけで衣服の胸ポケットから落ちてしまうことが多かった携帯電話機の落下が低減される。
【考案を実施するための最良の形態】
【００１４】
本考案の滑止シールを以下図面に従って説明すると、図１は、本考案に係る滑止シールを示す断面図であり、１は滑止シール、１１は軟質樹脂素材から形成された滑止シール１１の本体、２は本体１１の底部に設けている粘着材、３は滑止シール１を使用するまで粘着材２を保護するための保護シートである。
【００１５】
図２は、滑止シールの形状の一例を示す斜視図であり、（ａ）図は、断面略半円形状で、平面視において楕円形に形成した滑止シール１である。（ｂ）図は、断面略台形状で、平面視において四角形に形成した滑止シール１である。
【００１６】
図３から６図は、滑止シールの表面形状の一例を示す斜視図であり、図２で示した滑止シールの表面、すなわち、他の物品との接触面の形状の一例を示すものである。図３のものは半球突起１２を形成し、図４のものは平板突条１３を形成し、図５のものはジグザグ溝１４を形成し、図６のものはディンプル１５を形成したものである。
【００１７】
図７は、他の形態の滑止シールを示す斜視図であり、本図の形態は、１枚の粘着材２を保護するための台紙４に複数の滑止シール１を貼り付けているもので、滑止シール１を使用する際は、台紙４から滑止シール１を剥がして所望の物品に貼り付けて使用するものである。
【００１８】
図８から図１０は、滑止シールの使用例を示す斜視図であり、図８と図９は、滑止シール１を形態電話機５に貼り付けた例である。図８で示すように、滑止シール１を携帯電話機５のケースに貼り付けている。図では示されていないが、携帯電話機５の反対の面にも滑止シール１を貼り付けている。
【００１９】
図９は、人が上半身を屈めた際の衣服６の胸ポケット６１の状態であり、胸ポケット６１に入れた携帯電話機５は、人が上半身を屈めたことによって胸ポケット６１の開口６２に向かって滑り出そうとする。しかしながら、滑止シール１を貼り付けたことによって滑止シール１の軟質樹脂表面が胸ポケット６１の繊維に接触し、摺動抵抗が大きくなって携帯電話機１の滑り出しを阻止しようとする。
【００２０】
図１０は、滑止シール１をドライバー７に貼り付けた例である。図６で示すように、滑止シール１をドライバー７の柄７１の前方と後方に貼り付けている。これにより、柄７１を握っている手が滑った際に、滑止シール１と手の皮膚が接触すれば、皮膚と滑止シール１の軟質樹脂表面との大きな摺動抵抗によってドライバー７の落下を阻止することもできる。
【図面の簡単な説明】
【００２１】
【図１】本考案に係る滑止シールを示す断面図
【図２】滑止シールの形状の一例を示す斜視図
【図３】滑止シールの表面形状の一例を示す斜視図
【図４】滑止シールの表面形状の一例を示す斜視図
【図５】滑止シールの表面形状の一例を示す斜視図
【図６】滑止シールの表面形状の一例を示す斜視図
【図７】他の形態の滑止シールを示す斜視図
【図８】滑止シールの使用例を示す斜視図
【図９】滑止シールの使用例を示す斜視図
【図１０】滑止シールの使用例を示す斜視図
【符号の説明】
【００２２】
１−滑止シール，１１−本体，１２−半球突起，１３−平板突条，１４−ジグザグ溝，１５−ディンプル，２−粘着材，３−保護シート，４−台紙，５−携帯電話機，６−衣服，６１−胸ポケット，６２−開口，７−ドライバー，７１−柄，７２−シャフト
【図１】
0003104812.tif 000003
【図２】
0003104812.tif 000004
【図３】
0003104812.tif 000005
【図４】
0003104812.tif 000006
【図５】
0003104812.tif 000007
【図６】
0003104812.tif 000008
【図７】
0003104812.tif 000009
【図８】
0003104812.tif 000010
【図９】
0003104812.tif 000011
【図１０】
0003104812.tif 000012